(57)【要約】【課題】従来、ＷＬＡＮ回線接続モードにおいて、通信相手ステーションとアドホックモードでの接続可否を判断するため、インフラストラクチャモードで、アクセスポイントに通信開始元ステーションと通信相手ステーションが接続する必要があった。【解決手段】通信開始元ステーションが、周辺に存在するアクセスポイントを検索し、検索されたアクセスポイントのＳＳＩＤと受信電界レベルが記載されたＳＳＩＤリストを通信相手ステーションへセルラ回線を経由して通知する。通信相手ステーションは、通信開始元ステーションから送付されてきたＳＳＩＤリストと、自らの検索実施後に作成したＳＳＩＤリストを照合した結果、複数のアクセスポイントのＳＳＩＤの一致と受信電界レベルが同等のレベルであると確認できた場合に、通信開始元ステーションと通信相手ステーションは近距離に存在すると判断し、アドホックモードでの接続が可能と判断する。【選択図】図３
2011199342.tif 000002
【特許請求の範囲】
【請求項１】
ＷＬＡＮ通信とセルラ通信が可能な通信装置であって、
ＷＬＡＮ通信を実施するＷＬＡＮ通信部と、
ＷＬＡＮ通信部を制御するＷＬＡＮ通信制御部と、
ＷＬＡＮ通信制御部に対して、アクセスポイントの検索指示を行い、検索した結果に基づきＳＳＩＤリストを作成するＳＳＩＤリスト作成部と、
セルラ通信を実施するセルラ通信部と、
セルラ通信部を制御するセルラ通信制御部と、
セルラ回線で受信したデータからＳＳＩＤリストを抽出するＳＳＩＤリスト抽出部と、
ＳＳＩＤリスト作成部で作成したＳＳＩＤリストと、ＳＳＩＤリスト抽出部で抽出したＳＳＩＤリストとを照合するＳＳＩＤリスト照合部と、
ＳＳＩＤリスト照合部における前記作成したＳＳＩＤリストと前記抽出したＳＳＩＤリストの照合の結果に基づき、アドホックモード接続、インフラストラクチャモード接続のいずれのモードで接続するかを選択する接続方法選択部と、
を具備する通信装置。
【請求項２】
請求項１記載の通信装置であって、
前記接続方法選択部は、ＳＳＩＤリスト照合部での前記作成したＳＳＩＤリストと前記抽出したＳＳＩＤリストの照合の結果、１つのアクセスポイントしか検出されなかった場合、インフラストラクチャモードでの接続を行うことを選択する、
ことを特徴とする通信装置。
【請求項３】
請求項１記載の通信装置であって、
前記ＷＬＡＮ通信部は、前記作成したＳＳＩＤリストに、アドホック接続用のＳＳＩＤを付加して通信相手となる通信装置に通知するとともに、連続してビーコンの送出を実施し、前記通信相手となる通信装置から、アドホック接続用のＳＳＩＤを受信した場合、アドホック接続を実施する、
ことを特徴とする通信装置。
【請求項４】
ＷＬＡＮ通信とセルラ通信が可能な通信装置であって、
ＷＬＡＮ通信を実施するＷＬＡＮ通信部と、
ＷＬＡＮ通信部を制御するＷＬＡＮ通信制御部と、
ＷＬＡＮ通信制御部に対して、アクセスポイントの検索指示を行い、検索した結果に基づきＳＳＩＤリストを作成するＳＳＩＤリスト作成部と、
セルラ通信を実施するセルラ通信部と、
セルラ通信部を制御するセルラ通信制御部と
セルラ回線で受信したデータからＳＳＩＤリストを抽出するＳＳＩＤリスト抽出部と、
ＳＳＩＤリスト作成部で作成したＳＳＩＤリストと、ＳＳＩＤリスト抽出部で抽出したＳＳＩＤリストとを照合するＳＳＩＤリスト照合部と、
ＳＳＩＤリスト照合部での前記作成したＳＳＩＤリストと前記抽出したＳＳＩＤリストの照合の結果に基づき、アドホックモード接続、インフラストラクチャモード接続のいずれのモードで接続するかを選択する接続方法選択部と、
計時するタイマと、
を具備し、
前記ＳＳＩＤリスト作成部は、前記作成したＳＳＩＤリストに、各ＳＳＩＤを持つアクセスポイントからの受信電界強度を含めた第１のＳＳＩＤリストを作成し、
セルラ通信部は、前記通信相手となる通信装置から、各ＳＳＩＤを持つアクセスポイントからの受信電界レベルを含めた第２のＳＳＩＤリストを受信し、
接続方法選択部は、ＳＳＩＤリスト照合部で、間欠的に行った前記第１のＳＳＩＤリストと前記第２のＳＳＩＤリストの照合の結果、アドホックモード接続、セルラ回線接続のいずれのモードで接続するかを選択する、
ことを特徴とする通信装置。
【請求項５】
請求項４記載の通信装置であって、
接続方法選択部は、ＳＳＩＤリスト照合部における前記第１のＳＳＩＤリストと前記第２のＳＳＩＤリストの照合の結果、少なくとも２つのアクセスポイントにおける受信電界レベルの時間変化が同じである場合、前記通信相手となる通信装置とは近距離で同一方向へ移動していると判断し、アドホックモード接続を行う、
ことを特徴とする通信装置。
【請求項６】
請求項４記載の通信装置であって、
接続方法選択部は、ＳＳＩＤリスト照合部における前記第１のＳＳＩＤリストと前記第２のＳＳＩＤリストの照合の結果、全てのアクセスポイントにおける受信電界レベルの時間変化が異なる場合、前記通信相手となる通信装置とは異なる方向へ移動していると判断し、セルラ回線システムへの接続を行う、
ことを特徴とする通信装置。
【発明の詳細な説明】
【技術分野】
【０００１】
本発明は、セルラ等の移動体通信及びワイヤレスローカルエリアネットワーク（以下「ＷＬＡＮ」と記載する）通信が可能な通信装置に関する。
【背景技術】
【０００２】
昨今において、ＷＬＡＮ通信機能を搭載した携帯電話が多数発売されている。
ＷＬＡＮを搭載した携帯電話において、ＷＬＡＮ通信の回線接続モードには、以下の２つのモードが存在する。
（１）アクセスポイント経由で接続するインフラストラクチャモード
（２）直接、ＷＬＡＮ通信可能な携帯電話同士で接続するアドホックモード
現状、ユーザがこれらの接続回線を選択して実施する際に、アプリケーションの起動、回線接続モード選択およびセキュリティの設定等を実施する必要がある。
【０００３】
また、アドホックモードで接続する際に、接続開始前に通信相手と接続可能であるかどうかを事前に判断することは困難であった。
【０００４】
従来、ＷＬＡＮの回線接続モードにおいて、相手端末とアドホックモードにて接続可能かどうかを判断するために、特許文献１においては、まず図１０に示すように第１の携帯電話がインフラストラクチャモードにて、アクセスポイント経由で通信相手との接続を実施している場合に、第２の携帯電話が、第１の携帯電話とアクセスポイントとの通信しているデータを傍受できた場合に、第１の携帯電話とアドホックモードでの接続が可能であると判断し、アドホックモードに切換えるといった処理を実施していた。
【０００５】
また、特許文献２においては、図１に示すように、アクセスポイントに第１の携帯電話と第２の携帯電話が接続された環境下で、第１の携帯電話は、アクセスポイントから送信されたネットワーク情報と自分の属するネットワーク情報との比較を実施し、比較の結果、ネットワーク情報が一致した場合にそのネットワーク情報を送信する。その際に、第２の携帯電話が第１の携帯電話が送信したネットワーク情報を受信できた場合に、第１の携帯電話が直接無線通信可能な範囲内に存在していると判断するといった方法を実施していた。
【先行技術文献】
【特許文献】
【０００６】
【特許文献１】特開２００４−１２８７８５号公報
【特許文献２】特開２００４−７２５６５号公報
【発明の概要】
【発明が解決しようとする課題】
【０００７】
しかしながら、前記従来技術は、アクセスポイントに通信相手が接続していることが前提となる方式である。
【０００８】
特許文献１においては、通信相手がアクセスポイント間で通信しているデータを傍受可能かどうかで、アドホックモード接続可能かどうかを判断する方式であり、通信相手がアクセスポイント間でデータ通信を実施している必要があり、通信を実施していない場合には、アドホックモード接続可能かどうかを判断することができないといった問題がある。
【０００９】
また、特許文献２においては、アクセスポイントにインフラストラクチャモードで接続した条件下において、通信相手が送信するネットワーク情報を受信できた場合に、アドホックモード接続可能かどうかを判断する必要があり、アクセスポイントに接続する必要があり、アドホックモード接続に時間がかかるといった問題があった。
【００１０】
本発明はかかる点に鑑みてなされたものである。
【００１１】
本発明においては、アドホックモードにて通信相手と接続を実施する際に、双方のステーション同士が、アクセスポイントに接続せずに、アドホックモード接続可能かどうかを判断するＷＬＡＮ通信可能な通信装置を提供するものである。
【課題を解決するための手段】
【００１２】
本発明の通信装置は、ＷＬＡＮ通信とセルラ通信が可能な通信装置であって、ＷＬＡＮ通信を実施するＷＬＡＮ通信部と、ＷＬＡＮ通信部を制御するＷＬＡＮ通信制御部と、ＷＬＡＮ通信制御部に対して、アクセスポイントの検索指示を行い、検索した結果に基づきＳＳＩＤリストを作成するＳＳＩＤリスト作成部と、セルラ通信を実施するセルラ通信部と、セルラ通信部を制御するセルラ通信制御部と、セルラ回線で受信したデータからＳＳＩＤリストを抽出するＳＳＩＤリスト抽出部と、ＳＳＩＤリスト作成部で作成したＳＳＩＤリストと、ＳＳＩＤリスト抽出部で抽出したＳＳＩＤリストとを照合するＳＳＩＤリスト照合部と、ＳＳＩＤリスト照合部における前記作成したＳＳＩＤリストと前記抽出したＳＳＩＤリストの照合の結果に基づき、アドホックモード接続、インフラストラクチャモード接続のいずれのモードで接続するかを選択する接続方法選択部とを具備する構成を採る。
【００１３】
この構成により、アクセスポイントに接続することなく、アドホックモード接続可能かどうかを判断することが可能となる。
【００１４】
また、本発明の通信装置は、上記構成において、前記接続方法選択部は、ＳＳＩＤリスト照合部でのＳＳＩＤリストの照合の結果、１つのアクセスポイントしか検出されなかった場合、インフラストラクチャモードでの接続を行うことを選択するようにした。
【００１５】
この構成により、アドホックモード接続不可と判断した場合には、インフラストラクチャモードでの接続が可能となる。
【００１６】
また、本発明の通信装置は、上記構成において、ＷＬＡＮ通信部は、前記作成したＳＳＩＤリストに、アドホック接続用のＳＳＩＤを付加して通信相手となる通信装置に通知するとともに、連続してビーコンの送出を実施し、前記通信相手となる通信装置から、アドホック接続用のＳＳＩＤを受信した場合、アドホック接続を実施するようにした。
【００１７】
この構成により、アドホックモード接続可能と判断した際に、通信開始元ステーションのＳＳＩＤの照合が同時にとることができ、即座にアドホックモード接続が可能となる。
【００１８】
また、本発明の通信装置は、ＷＬＡＮ通信とセルラ通信が可能な通信装置であって、ＷＬＡＮ通信を実施するＷＬＡＮ通信部と、ＷＬＡＮ通信部を制御するＷＬＡＮ通信制御部と、ＷＬＡＮ通信制御部に対して、アクセスポイントの検索指示を行い、検索した結果に基づきＳＳＩＤリストを作成するＳＳＩＤリスト作成部と、セルラ通信を実施するセルラ通信部と、セルラ通信部を制御するセルラ通信制御部と、セルラ回線で受信したデータからＳＳＩＤリストを抽出するＳＳＩＤリスト抽出部と、ＳＳＩＤリスト作成部で作成したＳＳＩＤリストと、ＳＳＩＤリスト抽出部で抽出したＳＳＩＤリストとを照合するＳＳＩＤリスト照合部と、ＳＳＩＤリスト照合部での前記作成したＳＳＩＤリストと前記抽出したＳＳＩＤリストの照合の結果に基づき、アドホックモード接続、インフラストラクチャモード接続のいずれのモードで接続するかを選択する接続方法選択部と、計時するタイマを具備し、前記ＳＳＩＤリスト作成部は、前記作成したＳＳＩＤリストに、各ＳＳＩＤを持つアクセスポイントからの受信電界強度を含めた第１のＳＳＩＤリストを作成し、セルラ通信部は、前記通信相手となる通信装置から、各ＳＳＩＤを持つアクセスポイントからの受信電界レベルを含めた第２のＳＳＩＤリストを受信し、接続方法選択部は、ＳＳＩＤリスト照合部で、間欠的に行った前記第１のＳＳＩＤリストと前記第２のＳＳＩＤリストの照合の結果、アドホックモード接続、セルラ回線接続のいずれのモードで接続するかを選択するようにした。
【００１９】
この構成により、通信相手となる通信装置との移動方向を認識することができる。
【００２０】
また、本発明の通信装置は、上記構成において、接続方法選択部は、ＳＳＩＤリスト照合部における前記第１のＳＳＩＤリストと前記第２のＳＳＩＤリストの照合の結果、少なくとも２つのアクセスポイントにおける受信電界レベルの時間変化が同じである場合、前記通信相手となる通信装置とは近距離で同一方向へ移動していると判断するようにした。
【００２１】
この構成により、同一方向へ移動していると判断した場合に、アドホックモード接続が可能と判断することが可能となる
また、本発明の通信装置は、上記構成において、接続方法選択部は、ＳＳＩＤリスト照合部における前記第１のＳＳＩＤリストと前記第２のＳＳＩＤリストの照合の結果、全てのアクセスポイントにおける受信電界レベルの時間変化が異なる場合、前記通信相手となる通信装置とは異なる方向へ移動していると判断し、セルラ回線システムへの接続を行うようにした。
【００２２】
この構成により、異なる方向へ移動していると判断した場合には、通信が安定しているセルラ回線システムへの接続を行うことが可能となる。
【発明の効果】
【００２３】
本発明において、アドホックモードで接続可能かどうかを判断する際に、インフラストラクチャモードでアクセスポイントに接続する必要がなく、通信開始元ステーションの検索結果と受信電界レベルが記載されたＳＳＩＤリストを通信相手ステーションへセルラ回線を使用して通知することで、アドホックモードで接続可能かどうかを判断し、アドホックモードで接続する際の接続時間の短縮をすることができる。
【００２４】
また、通信開始元ステーションが自局のアドホックモード接続用のＳＳＩＤをＳＳＩＤリストに添えて、通信相手ステーションに通知すると同時に、定期的に連続してBeaconを送信することで、通信相手ステーションが検索を実施し、アドホックモード接続可能と判断した際に、通信開始元ステーションのアドホック接続用のＳＳＩＤに対して、即座にアドホックモードで接続が可能なため、更に、接続時間を短縮できる効果がある。
【００２５】
また、本発明においては、通信開始元ステーションが、間欠的にアクセスポイント検索を実施した時系列ＳＳＩＤリストを通信相手ステーションへ通知する。通信相手ステーションは、自端末においても、同様に間欠的にアクセスポイント検索を実施し、通信開始元ステーションから通知された時系列ＳＳＩＤリストと照合することで、通信開始元ステーションと通信相手ステーション間の移動方向も検出することができ、より精度のよいアドホックモード接続が可能となる。
【図面の簡単な説明】
【００２６】
【図１】本発明の実施の形態１におけるシステム構成を示す図
【図２】本発明の実施の形態１にかかる携帯電話のブロック構成を示す図
【図３】本発明の実施の形態１にかかる携帯電話の動作を説明するための図
【図４】本発明の実施の形態１にかかる制御フローを示す図
【図５】本発明の実施の形態２にかかる携帯電話の動作を説明するための図
【図６】本発明の実施の形態２にかかる制御フローを示す図
【図７】本発明の実施の形態３にかかる携帯電話のブロック構成を示す図
【図８】本発明の実施の形態３にかかる携帯電話の動作を説明するための図
【図９】本発明の実施の形態３にかかる制御フローを示す図
【図１０】従来方式によるアドホック接続方法を示す図
【発明を実施するための形態】
【００２７】
以下、本発明の実施の形態について、図面を参照して詳細に説明する。
【００２８】
図１に本発明の全体構成図を示す。
【００２９】
アクセスポイント１０１及び１０２は、携帯電話がインフラストラクチャモード接続するアクセスポイントである。
【００３０】
携帯電話１０１−１及び１０１−２は、アクセスポイント１０１に接続する携帯電話である。
【００３１】
また、携帯電話１０１−１と携帯電話１０１−２は、アクセスポイントを経由せずに、アドホックモードで接続することも可能である。
【００３２】
携帯電話１０２−１及び携帯電話１０１−２は、アクセスポイント１０２に接続する携帯電話である。
【００３３】
携帯電話基地局２０３は、携帯電話１０１−１、１０１−２及び１０２−１がセルラ回線を使用して通信を実施する携帯電話基地局である。
【００３４】
インターネット網２０４は、携帯電話１０１−１（又は１０１−２）が、アクセスポイント１０１、１０２経由で携帯電話１０２と通信をする際に経由する、インターネット網である。
【００３５】
図１に示した本発明のシステム構成において、本発明の実施の形態１について説明する。
【００３６】
（実施の形態１）
図２は、本発明の実施の形態１にかかる携帯電話のブロック構成を示す図である。
【００３７】
携帯電話２００は、ＷＬＡＮ通信可能な携帯電話である。
【００３８】
アンテナ２０１は、ＷＬＡＮ通信用のアンテナである。
【００３９】
ＷＬＡＮ通信部２０２は、ＷＬＡＮ通信の送信信号と受信信号の無線通信を行う。
【００４０】
ＷＬＡＮ通信制御部２０３は、ＷＬＡＮ通信部制御、ＡＰ検索したＳＳＩＤの検出、ＡＰ検索実行及びＢｅａｃｏｎ送出を行う。
【００４１】
ＳＳＩＤリスト作成部２０４は、ＡＰ検索を実施した結果、ＳＳＩＤリストを作成する。
【００４２】
ＳＳＩＤリスト照合部２０５は、自分が検出したＳＳＩＤリストと相手から通知されたＳＳＩＤリストを照合する。
【００４３】
接続方法選択部２０６は、ＳＳＩＤリスト照合部により、照合した結果からＷＬＡＮの接続モードを選択する。
【００４４】
アンテナ２０７は、セルラアンテナである。
【００４５】
セルラ通信部２０８は、セルラ網での送信信号及び受信信号の無線通信を行う。
【００４６】
セルラ通信制御部２０９は、セルラ通信部の制御とＳＳＩＤリストの送受信を含むセルラデータの送受信行う。
【００４７】
ＳＳＩＤリスト抽出部２１０は、セルラ通信制御部にて受信したＳＳＩＤリストの抽出とＷＬＡＮ側で検出したＳＳＩＤリストの送信をセルラ通信制御部に指示する。
【００４８】
本発明の実施の形態１の動作について、図３と図４を用いて説明する。
【００４９】
図３は、本発明の実施の形態１にかかる携帯電話の動作を説明するための図である。
【００５０】
図４は、本発明の実施の形態１にかかる制御フローを示す図である。
【００５１】
図３において、携帯電話３０１は、通信開始元ステーションであり、携帯電話３０２は、通信相手ステーションである。
【００５２】
ＳＳＩＤリスト３０３は、通信開始元ステーションにてＡＰ検索を実施した結果、得られたＳＳＩＤリストである。
【００５３】
ＳＳＩＤリスト３０４は、通信相手ステーションにてＡＰ検索を実施した結果、得られたＳＳＩＤリストである。
【００５４】
本実施の形態にて、通信開始元ステーションである携帯電話３０１が、通信相手ステーションである携帯電話３０２に対してアドホック接続を実施する。
【００５５】
図４の制御フローについて説明する。
【００５６】
通信開始元ステーションにて、まず通信開始に先立ってＡＰ検索を実施する（手順Ｓ１０１）
次に、ＡＰ検索した結果を基に、ＳＳＩＤと受信電界レベルを記載した図３に示すＳＳＩＤリスト３０３を作成する(手順Ｓ１０２)。
【００５７】
通信開始元ステーションは、検出したＳＳＩＤリストを、セルラ回線を使用して通信相手ステーションへ通知する（手順Ｓ１０３）。
【００５８】
通信相手ステーションは、通信開始元ステーションからセルラ回線経由で、ＳＳＩＤリストを受信する（手順Ｓ１０４）。
【００５９】
通信相手ステーションは、通信開始元ステーションからセルラ回線経由で受信したデータからＳＳＩＤリストを抽出する（手順Ｓ１０５）。
【００６０】
次に、通信相手ステーションは、自らＡＰ検索を実施する（手順Ｓ１０６）。
自らＡＰ検索した結果から、ＳＳＩＤリストを作成する（手順Ｓ１０７）。
【００６１】
通信開始元ステーションから通知されたＳＳＩＤリストと自分が検出し作成したＳＳＩＤリストを比較照合する（手順Ｓ１０８）。
【００６２】
ＳＳＩＤリストの照合をした結果、ＳＳＩＤとそれぞれのＳＳＩＤの受信電界レベルが複数以上一致するかどうかを判定する（手順Ｓ１０９）。
【００６３】
手順Ｓ１０９にてＳＳＩＤと受信電界レベルが複数一致した場合は、アドホックモードで接続する（手順Ｓ１１０）。
【００６４】
図３において、ＳＳＩＤリスト３０３とＳＳＩＤリスト３０４に、３つのＳＳＩＤ（‘ａｂｃｄｅｆ’、‘ｋｅｉｔａｉ’、‘１２３４５６７’）が同一の受信電界レベルで検出できているため、双方は近接していると判断し、アドホックモード接続可能と判断し、アドホック接続を開始する動作が実施される。
【００６５】
手順Ｓ１０９にて、ＳＳＩＤと受信電界レベルが、１つのみしか一致しない場合は、ＳＳＩＤリストにて共通なアクセスポイントへインフラストラクチャモードで接続する（手順Ｓ１１１）。
【００６６】
このように制御することで、アクセスポイントに接続することなく、アドホックモードでの接続が可能かを判断することが可能となるＷＬＡＮ通信装置を提供することが可能である。
【００６７】
（実施の形態２）
本発明の実施の形態２について図５と図６を用いて説明する。
【００６８】
図５は、本発明の実施の形態２にかかる携帯電話の動作を説明するための図である。
【００６９】
図６は、本発明の実施の形態２にかかる制御フローを示す図である。
【００７０】
図５において、携帯電話５０１は、通信開始元ステーションであり、携帯電話５０２は、通信相手ステーションである。
【００７１】
ＳＳＩＤリスト５０３は、通信開始元ステーションにてＡＰ検索を実施したＳＳＩＤリストである。
【００７２】
ＳＳＩＤリスト５０４は、通信相手ステーションにてＡＰ検索を実施したＳＳＩＤリストである。
【００７３】
本実施例にて、通信開始元ステーションである携帯電話５０１が、通信相手ステーションである携帯電話５０２に対してアドホック接続を実施する。
【００７４】
図６の制御フローについて説明する。
【００７５】
通信開始元ステーションにて、まず通信開始に先立ってＡＰ検索を実施する（手順Ｓ２０１）。
【００７６】
次にＡＰ検索した結果を基に、ＳＳＩＤと受信電界レベルを記載した図５に示すＳＳＩＤリスト５０３を作成する（手順Ｓ２０２）。
【００７７】
このＳＳＩＤリストを作成する際に、通信開始元ステーションのアドホック接続用のＳＳＩＤをＳＳＩＤリスト５０３に添付する（手順Ｓ２０３）。
【００７８】
図５においては、自局のＳＳＩＤ‘ＷLＡＮ’をアドホック接続用のＳＳＩＤとして添付して、通信相手ステーションへ添付したＳＳＩＤリストを再度作成する。
通信開始元ステーションは、作成したＳＳＩＤリストを、セルラ回線を使用して通信相手ステーションへ通知する（手順Ｓ２０４）。
【００７９】
Ｓ２０４にてセルラ回線を通じてＳＳＩＤリストを送出すると同時に、アドホック接続用のＳＳＩＤにて、定期的にＢｅａｃｏｎの送出を開始する（手順Ｓ２０５）。
【００８０】
通信相手ステーションは、通信開始元ステーションからセルラ回線経由で、ＳＳＩＤリストを受信する（手順Ｓ２０６）。
通信相手ステーションは、通信開始元ステーションからセルラ回線経由で受信したデータからＳＳＩＤリストを抽出する（手順Ｓ２０７）。
【００８１】
通信相手ステーションは、自らＡＰ検索を実施する（手順Ｓ２０８）。
【００８２】
自らＡＰ検索した結果を基に、ＳＳＩＤリストを作成する（手順Ｓ２０９）。
【００８３】
通信開始元ステーションから通知されたＳＳＩＤリストと自分が検出し作成したＳＳＩＤリストを比較照合する（手順Ｓ２１０）。
【００８４】
ＳＳＩＤリストの照合をした結果、ＳＳＩＤとそれぞれのＳＳＩＤの受信電界レベルが複数以上一致するかどうかを判定する（手順Ｓ２１１）。
【００８５】
手順Ｓ２１１にてＳＳＩＤと受信電界レベルが複数一致した場合は、アドホックモードで接続可能と判断する（手順Ｓ２１２）。
【００８６】
この際に、図５において、通信開始元ステーション通知されたアドホック接続用のＳＳＩＤ‘ＷＬＡＮ’への接続を実施する。これによりアドホック接続に要する時間を短縮できる効果がある。
【００８７】
手順Ｓ２１１にて、ＳＳＩＤと受信電界レベルが、１つしか一致しない場合は、ＳＳＩＤリストで共通なアクセスポイントへインフラストラクチャモードで接続する（手順Ｓ２１２）。
【００８８】
このように制御することで、本発明でアドホックモード接続可能と判断した場合に、通
知されたアドホックモード接続用のＳＳＩＤに対して即座に接続が可能となるＷＬＡＮ通信装置を提供することができる。
【００８９】
（実施の形態３）
図７は、本発明の実施の形態３にかかる携帯電話のブロック構成を示す図である。
【００９０】
携帯電話７００は、ＷＬＡＮ通信可能な携帯電話である。
【００９１】
アンテナ７０１は、ＷＬＡＮ通信用のアンテナである。
【００９２】
ＷＬＡＮ通信部７０２は、ＷＬＡＮの送信信号と受信信号の無線通信を行う。
【００９３】
ＷＬＡＮ通信制御部７０３は、ＷＬＡＮ通信部制御、ＡＰ検索したＳＳＩＤの検出、ＡＰ検索実行及びＢｅａｃｏｎ送出を行う。
【００９４】
ＳＳＩＤリスト作成部７０４は、実施の形態３の特徴である間欠的にＡＰ検索を実施した結果を基に、ＳＳＩＤリストを作成する。
【００９５】
タイマ７０５は、間欠的にAP検索を実施するためのトリガを発生する。
【００９６】
ＳＳＩＤリスト照合部７０６は、自分が検出したＳＳＩＤリストと相手から通知されたＳＳＩＤリストを照合する。
【００９７】
接続方法選択部７０７は、ＳＳＩＤリスト照合部により、照合した結果からＷＬＡＮの接続モードを選択する。
【００９８】
セルラアンテナ７０８は、セルラ通信用のアンテナである。
【００９９】
セルラ通信部７０９は、セルラ網での送信信号及び受信信号の無線通信を行う。
【０１００】
セルラ通信制御部７１０は、セルラ通信部の制御とＳＳＩＤリストの送受信を含むセルラデータの送受信を行う。
【０１０１】
ＳＳＩＤリスト抽出部７１１は、セルラ通信制御部にて受信したＳＳＩＤリストの抽出とＳＳＩＤリストの送信をセルラ通信制御部に指示する。
【０１０２】
本発明の実施の形態３の動作について、図８と図９を用いて説明する。
【０１０３】
図８は、本発明の実施の形態３にかかる携帯電話の動作を説明するための図である。
【０１０４】
図９は、本発明の実施の形態２にかかる制御フローを示す図である。
【０１０５】
図８において、携帯電話８０１は、通信開始元ステーションであり、携帯電話８０２は、通信相手ステーションである。
【０１０６】
リスト８０３は、通信開始元ステーションにてＡＰ検索を実施した時系列ＳＳＩＤリストである。
【０１０７】
リスト８０４は、通信相手ステーションにてＡＰ検索を実施した時系列ＳＳＩＤリストである。
【０１０８】
本実施の形態において、通信開始元ステーションである携帯電話８０１が、通信相手ステーションである携帯電話８０２に対してアドホック接続を実施する。
【０１０９】
図９の制御フローについて説明する。
【０１１０】
通信開始元ステーションにて、図７のタイマ７０５からのトリガを基にＡＰ検索を実施  する（手順Ｓ３０１）。
【０１１１】
次にＡＰ検索を実施した回数を検出する（手順Ｓ３０２）。
【０１１２】
検出した検索回数からあらかじめ決められた検索回数を実施したかを判定する（手順Ｓ
３０３）。
【０１１３】
あらかじめ決められた検索回数を実施していない場合は、再度タイマ７０５のタイミングに従いＡＰ検索を実施する。
【０１１４】
あらかじめ決められた所定の検索回数を実施した場合は、その検索結果を基に、ＳＳＩＤと受信電界レベルを記載した図８のリスト８０３に示す時系列（Ｔ（０）、Ｔ（１）、Ｔ（２））での時系列ＳＳＩＤリストを作成する（手順Ｓ３０４）。
【０１１５】
通信開始元ステーションは、検出した時系列ＳＳＩＤリストを、セルラ回線を使用して通信相手ステーションへ通知する（手順Ｓ３０５）。
【０１１６】
通信相手ステーションは、通信開始元ステーションからセルラ回線経由で、時系列ＳＳＩＤリストを受信する（手順Ｓ３０６）。
【０１１７】
通信相手ステーションは、通信開始元ステーションからセルラ回線経由で受信したデー
タから時系列ＳＳＩＤリストを抽出する（手順Ｓ３０７）。
【０１１８】
次に、通信相手ステーションは、タイマ７０５からのトリガを基に自らAP検索を実施する（手順Ｓ３０８）。
【０１１９】
次にＡＰ検索を実施した回数を検出する（手順Ｓ３０９）。
【０１２０】
検出した検索回数からあらかじめ決められた検索回数を実施したかを判定する（手順Ｓ
３１０）。
【０１２１】
あらかじめ決められた検索回数を実施していない場合は、再度タイマ７０５のタイミングに従いＡＰ検索を実施する。
【０１２２】
あらかじめ決められた所定の検索回数を実施した場合は、その検索結果を基に、自端末の時系列ＳＳＩＤリストを作成する（手順Ｓ３１）。
【０１２３】
次に、通信開始元ステーションから通知された時系列ＳＳＩＤリストと自端末がＡＰ検索により作成したＳＳＩＤリストの時系列での変化を比較照合する（手順Ｓ３１２）。
【０１２４】
ＳＳＩＤリストの照合をした結果、ＳＳＩＤとそれぞれのＳＳＩＤの受信電界レベルの変化が複数以上一致するかどうかを判定する（手順Ｓ３１３）。
【０１２５】
図８においては、時系列ＳＳＩＤリストにおけるＳＳＩＤが‘ｋｅｉｔａｉ’の受信電界レベルとＳＳＩＤが‘１２３４５６７８’の受信電界レベルの時間変化が、通信開始元ステーションと通信相手ステーションにて同一の変化をしている。
【０１２６】
この結果から２つのＳＳＩＤと受信電界レベルの時間変化が一致したため、双方のステーションは同一方向へ移動していると判断する。
【０１２７】
Ｓ３１３にてＳＳＩＤと受信電界レベルの変化が複数一致した場合は、アドホックモード接続可能と判断し、アドホックモードで接続する（手順Ｓ３１４）。
【０１２８】
Ｓ３１３にて、複数のＳＳＩＤと受信電界レベルの変化が、一致しない場合は、双方のステーションは異なった方向へ移動していると判断し、セルラ経由での接続を実施する（手順Ｓ３１５）。
【０１２９】
このように制御することで、通信開始元ステーションと通信相手ステーションの移動方
向も含めて、アドホックモード接続可能かどうかを判断することができるため、より安定した接続が可能なＷＬＡＮ通信装置を提供することができる。
【産業上の利用可能性】
【０１３０】
本発明にかかる通信装置は、ＷＬＡＮを搭載した携帯電話等において好適である。
【符号の説明】
【０１３１】
１０１、１０２、１００１    アクセスポイント
１０１−１、１０１−２、１０２−１、２００、３０１、３０２、５０１、５０２、７００、８０１、８０２、１００１−１、１００１−２    携帯電話
１０３    携帯電話基地局
２０１、７０１    ＷＬＡＮアンテナ
２０２、７０２    ＷＬＡＮ通信部
２０３、７０３    ＷＬＡＮ通信制御部
２０４、７０４    ＳＳＩＤリスト作成部
２０５、７０６    ＳＳＩＤリスト照合部
２０６、７０７    接続方法選択部
２０７、７０８    セルラアンテナ
２０８、７０９    セルラ通信部
２０９、７１０    セルラ通信制御部
２１０、７１１    ＳＳＩＤリスト抽出部
７０５    タイマ
【図１】
2011199342.tif 000003
【図２】
2011199342.tif 000004
【図３】
2011199342.tif 000005
【図４】
2011199342.tif 000006
【図５】
2011199342.tif 000007
【図６】
2011199342.tif 000008
【図７】
2011199342.tif 000009
【図８】
2011199342.tif 000010
【図９】
2011199342.tif 000011
【図１０】
2011199342.tif 000012